【手続補正書】
【提出日】平成28年5月30日(2016.5.30)
【手続補正１】
【補正対象書類名】特許請求の範囲
【補正対象項目名】全文
【補正方法】変更
【補正の内容】
【特許請求の範囲】
【請求項１】
複数の画素が行列状に配列された画素配列と、前記画素からの出力信号を保持する第１の記憶部と、前記第１の記憶部から転送された信号を保持する第２の記憶部とを有する撮像素子を備え、
前記第１の記憶部への信号書き込み中に、前記第１の記憶部から前記第２の記憶部への信号転送を行うことを特徴とする撮像装置。
【請求項２】
前記画素は列毎に配された列信号線に接続され、前記撮像素子は、前記列信号線と前記第１の記憶部との間の接続を開閉する第１のスイッチと、前記第１の記憶部の信号を前記第２の記憶部に伝達する伝達部と、前記伝達部と前記第２の記憶部との間の接続を開閉する第２のスイッチと、を有し、
前記第１のスイッチを閉状態にすることによって前記第１の記憶部への信号書き込みを行い、前記第２のスイッチを閉状態とすることによって前記第２の記憶部への信号転送を行うことを特徴とする請求項１に記載の撮像装置。
【請求項３】
前記第１のスイッチを開状態にすることによる前記第１の記憶部への信号書き込み終了と、前記第２のスイッチを開状態にすることによる前記第２の記憶部への信号転送終了とを同時に行うことを特徴とする請求項１に記載の撮像装置。
【請求項４】
前記第２のスイッチを開状態にすることによる前記第２の記憶部への信号転送終了より先に、前記第１のスイッチを開状態にすることにより前記第１の記憶部への信号書き込みを終了することを特徴とする請求項１に記載の撮像装置。
【請求項５】
前記第１のスイッチを開状態にすることによる前記第１の記憶部への信号書き込み終了より先に、前記第２のスイッチを開状態にすることにより前記第２の記憶部への信号転送を終了することを特徴とする請求項１に記載の撮像装置。
【請求項６】
第１の撮影モードと、前記第２の記憶部からの信号読出し期間が前記第１の撮影モードよりも短い第２の撮影モードのいずれかの撮影モードに設定する設定手段をさらに備え、
前記第１の撮影モードでは、前記第１の記憶部への信号書き込み終了後に前記第２の記憶部への信号転送を行い、前記第２の撮影モードでは、前記第１の記憶部への信号書き込み中に前記第２の記憶部への信号転送を行うことを特徴とする請求項１に記載の撮像装置。
【請求項７】
前記撮像素子は、列毎に配置され、前記第２の記憶部から読み出した信号をＡＤ変換するＡＤ変換部をさらに有することを特徴とする請求項１に記載の撮像装置。
【請求項８】
前記複数の画素の各々には複数の副画素が配置されることを特徴とする請求項１に記載の撮像装置。
【請求項９】
前記複数の副画素から出力される信号を焦点検出に利用することを特徴とする請求項８に記載の撮像装置。
【請求項１０】
複数の画素が行列状に配列された画素配列と、前記画素から出力されるノイズ信号を保持する第１のノイズ信号記憶部と、前記画素から出力される光信号を保持する第１の光信号記憶部と、前記第１のノイズ信号記憶部から転送された信号を保持する第２のノイズ信号記憶部と、前記第１の光信号記憶部から転送された信号を保持する第２の光信号記憶部とを有する撮像素子を備え、
前記第１のノイズ信号記憶部から前記第２のノイズ信号記憶部への転送は、前記第１のノイズ信号記憶部への信号書き込み終了後に行い、前記第１の光信号記憶部から前記第２の光信号記憶部への転送は、前記第１の光信号記憶部への信号書き込み中に行うことを特徴とする撮像装置。
【請求項１１】
前記画素は列毎に配された列信号線に接続され、前記撮像素子は、前記列信号線と前記第１のノイズ信号記憶部との間の接続を開閉する第１のノイズ信号転送スイッチと、前記列信号線と前記第１の光信号記憶部との間の接続を開閉する第１の光信号転送スイッチと、前記第１のノイズ信号記憶部の信号を前記第２のノイズ信号記憶部に伝達するノイズ信号伝達部と、前記第１の光信号記憶部の信号を前記第２の光信号記憶部に伝達する光信号伝達部と、前記ノイズ信号伝達部と前記第２のノイズ信号記憶部との間の接続を開閉する第２のノイズ信号転送スイッチと、前記光信号伝達部と前記第２の光信号記憶部との間の接続を開閉する第２の光信号転送スイッチとを有し、
前記第１のノイズ信号転送スイッチを閉状態にすることによって前記第１のノイズ信号記憶部への信号書き込みを行い、
前記第１の光信号転送スイッチを閉状態にすることによって前記第１の光信号記憶部への信号書き込みを行い、
前記第２のノイズ信号転送スイッチを閉状態とすることによって前記第２のノイズ信号記憶部への信号転送を行い、
前記第２の光信号転送スイッチを閉状態とすることによって前記第２の光信号記憶部への信号転送を行うことを特徴とする請求項１０に記載の撮像装置。
【請求項１２】
前記画素は列毎に配された列信号線に接続され、前記撮像素子は、前記列信号線と前記第１のノイズ信号記憶部との間の接続を開閉する第１のノイズ信号転送スイッチと、前記列信号線と前記第１の光信号記憶部との間の接続を開閉する第１の光信号転送スイッチと、前記第１のノイズ信号記憶部及び前記第１の光信号記憶部の信号を、それぞれ前記第２のノイズ信号記憶部及び前記第２の光信号記憶部に伝達する伝達部と、前記伝達部と前記第２のノイズ信号記憶部との間の接続を開閉する第２のノイズ信号転送スイッチと、前記伝達部と前記第２の光信号記憶部との間の接続を開閉する第２の光信号転送スイッチと、前記第２のノイズ信号記憶部と前記伝達部との間の接続を開閉する第３のノイズ信号転送スイッチと、前記第２の光信号記憶部と前記伝達部との間の接続を開閉する第３の光信号転送スイッチとを有し、
前記第１のノイズ信号転送スイッチを閉状態にすることによって前記第１のノイズ信号記憶部への信号書き込みを行い、
前記第１の光信号転送スイッチを閉状態にすることによって前記第１の光信号記憶部への信号書き込みを行い、
前記第２のノイズ信号転送スイッチ及び前記第３のノイズ信号転送スイッチを閉状態とすることによって前記第２のノイズ信号記憶部への信号転送を行い、
前記第２の光信号転送スイッチ及び前記第３の光信号転送スイッチを閉状態とすることによって前記第２の光信号記憶部への信号転送を行うことを特徴とする請求項１０に記載の撮像装置。
【請求項１３】
前記第１の光信号転送スイッチを開状態にすることによる前記第１の光信号記憶部への信号書き込み終了と、前記第２の光信号転送スイッチを開状態にすることによる前記第２の光信号記憶部への信号転送終了を同時に行うことを特徴とする請求項１０に記載の撮像装置。
【請求項１４】
前記第２の光信号転送スイッチを開状態にすることによる前記第２の光信号記憶部への信号転送終了より先に、前記第１の光信号転送スイッチを開状態にすることによる前記第１の光信号記憶部への信号書き込みを終了することを特徴とする請求項１０に記載の撮像装置。
【請求項１５】
前記第１の光信号転送スイッチを開状態にすることによる前記第１の光信号記憶部への信号書き込み終了より先に、前記第２の光信号転送スイッチを開状態にすることによる前記第２の光信号記憶部への信号転送を終了することを特徴とする請求項１０に記載の撮像装置。
【請求項１６】
第１の撮影モードと、前記第２のノイズ信号記憶部及び前記第２の光信号記憶部からの信号読出し期間が前記第１の撮影モードより短い第２の撮影モードのいずれかの撮影モードに設定する設定手段をさらに備え、
前記第１の撮影モードでは、前記第１の光信号記憶部への信号書き込み終了後に前記第２の光信号記憶部への信号転送を行い、前記第２の撮影モードでは、前記第１の光信号記憶部への信号書き込み中に前記第２の光信号記憶部への信号転送を行うことを特徴とする請求項１０に記載の撮像装置。
【請求項１７】
列毎に配置され、前記第２の光信号記憶部又は前記第２のノイズ信号記憶部から読み出した信号をＡＤ変換するＡＤ変換部をさらに備えることを特徴とする請求項１０に記載の撮像装置。
【請求項１８】
前記複数の画素の各々には複数の副画素が配置されることを特徴とする請求項１０に記載の撮像装置。
【請求項１９】
前記複数の副画素から出力される信号を焦点検出に利用することを特徴とする請求項１８に記載の撮像装置。
【請求項２０】
複数の画素が行列状に配列された画素配列と、前記画素から出力される光信号を保持する光信号記憶部と、前記画素から出力されるノイズ信号を保持する第１のノイズ信号記憶部と、前記第１のノイズ信号記憶部から転送された信号を保持する第２のノイズ信号記憶部とを有する撮像素子を備え、
前記第１のノイズ信号記憶部から前記第２のノイズ信号記憶部への転送は、前記第１のノイズ信号記憶部への信号書き込み終了後、前記光信号記憶部への信号書き込み中に行うことを特徴とする撮像装置。